(57)【特許請求の範囲】
【請求項１】
液晶層を挟持する一対の基板からなるＩＰＳモードにて駆動される液晶セルおよびバックライトを有するＩＰＳモード液晶表示装置であって、
前記液晶セルの片側のセル基板には、偏光板の吸収軸と位相差フィルムの遅相軸が直交または平行になるように積層した光学フィルム（Ｆ１）であって、
前記偏光板は、偏光子の両面に透明保護フィルムを積層してなり、当該透明保護フィルム面内の面内屈折率が最大となる方向をＸ軸、Ｘ軸に垂直な方向をＹ軸、フィルムの厚さ方向をＺ軸とし、それぞれの軸方向の５５０ｎｍにおける屈折率をｎｘ、ｎｙ、ｎｚ、フィルムの厚さｄ（ｎｍ）とした場合に、
面内位相差Ｒｅ＝（ｎｘ−ｎｙ）×ｄが、１０ｎｍ以下であり、
かつ厚み方向位相差Ｒｔｈ＝｛（ｎｘ＋ｎｙ）／２−ｎｚ｝×ｄが、３０〜１００ｎｍであり、
前記位相差フィルムは、高分子ポリマーフィルムの複屈折性フィルムであり、当該フィルム面内の面内屈折率が最大となる方向をＸ軸、Ｘ軸に垂直な方向をＹ軸、フィルムの厚さ方向をＺ軸とし、それぞれの軸方向の５５０ｎｍにおける屈折率をｎｘ1、ｎｙ1、ｎｚ1、フィルムの厚さｄ1（ｎｍ）とした場合に、
Ｎｚ＝（ｎｘ1−ｎｚ1）／（ｎｘ1−ｎｙ1）で表されるＮｚ値が、０．３〜０．７を満足し、
かつ面内位相差Ｒｅ1＝（ｎｘ1−ｎｙ1）×ｄ1が、２００〜３００ｎｍである光学フィルム（Ｆ１）が配置されており、
前記液晶セルのもう一方の片側のセル基板には、偏光板の吸収軸と位相差フィルムの遅相軸が直交になるように積層した光学フィルム（Ｆ３）であって、
前記偏光板は、偏光子の両面に透明保護フィルムを積層してなり、当該透明保護フィルム面内の面内屈折率が最大となる方向をＸ軸、Ｘ軸に垂直な方向をＹ軸、フィルムの厚さ方向をＺ軸とし、それぞれの軸方向の５５０ｎｍにおける屈折率をｎｘ、ｎｙ、ｎｚ、フィルムの厚さｄ（ｎｍ）とした場合に、
面内位相差Ｒｅ＝（ｎｘ−ｎｙ）×ｄが、１０ｎｍ以下であり、
かつ厚み方向位相差Ｒｔｈ＝｛（ｎｘ＋ｎｙ）／２−ｎｚ｝×ｄが、３０〜１００ｎｍであり、
前記位相差フィルムは、高分子ポリマーフィルムの複屈折性フィルムであり、当該フィルム面内の面内屈折率が最大となる方向をＸ軸、Ｘ軸に垂直な方向をＹ軸、フィルムの厚さ方向をＺ軸とし、それぞれの軸方向の５５０ｎｍにおける屈折率をｎｘ3、ｎｙ3、ｎｚ3、フィルムの厚さｄ3（ｎｍ）とした場合に、
Ｎｚ＝（ｎｘ3−ｎｚ3）／（ｎｘ3−ｎｙ3）で表されるＮｚ値が、−０．１５〜０．１５を満足し、
かつ面内位相差Ｒｅ3＝（ｎｘ3−ｎｙ3）×ｄ3が、２３０〜４００ｎｍである光学フィルム（Ｆ３）が配置されており、
かつ、光学フィルム（Ｆ１）と光学フィルム（Ｆ３）はそれぞれの偏光板の吸収軸が直交状態になり、いずれも位相差フィルム側が液晶セル側になるように配置されており、
かつ、前記光学フィルム（Ｆ１）が視認側のセル基板に配置されており、前記光学フィルム（Ｆ３）がバックライトからの光入射側のセル基板に配置されており、
電圧無印加時において液晶セル内の液晶物質の異常光屈折率方向と入射側の前記光学フィルム（Ｆ３）の偏光板の吸収軸が平行状態にあり、前記液晶セルの前記位相差値と、光学フィルム（Ｆ３）の位相差フィルムの位相差値の差の絶対値が、０〜４０ｎｍであることを特徴とするＩＰＳモード液晶表示装置。
【請求項２】
ＩＰＳモードにて駆動される液晶セルが、５５０ｎｍにおける位相差値が電圧無印加時において２３０〜４００ｎｍであるＩＰＳモードの液晶セルであることを特徴とする請求項１記載のＩＰＳモード液晶表示装置。
【請求項３】
ＩＰＳモードにて駆動される液晶セルの５５０ｎｍにおける電圧無印加時の位相差値と、光学フィルム（Ｆ３）に用いる位相差フィルムの位相差値との差が２０ｎｍ以下である請求項１または２記載のＩＰＳモード液晶表示装置。
【発明の詳細な説明】
【技術分野】
【０００１】
本発明は、偏光板と位相差フィルムを積層した光学フィルムを用いた、いわゆるＩＰＳモードで動作するＩＰＳモード液晶表示装置に関する。
【背景技術】
【０００２】
従来より、液晶表示装置としては、正の誘電率異方性を有する液晶を、相互に対向する基板間にネジレ水平配向した、いわゆるＴＮモードの液晶表示装置が主として使われている。しかし、ＴＮモードではその駆動特性上、黒表示をしようとしても基板近傍の液晶分子により複屈折が生じる結果、光漏れが生じてしまい、完全な黒表示を行うことが困難であった。これに対し、ＩＰＳモードの液晶表示装置は、非駆動状態において液晶分子が基板面に対して略平行なホモジニアス配向を有するため、光は液晶層を、その偏光面をほとんど変化させること無く通過し、その結果基板の上下に偏光板を配置することにより非駆動状態でほぼ完全な黒色表示が可能である。
【０００３】
しかしながら、ＩＰＳモードではパネル法線方向においてはほぼ完全な黒色表示ができるものの、法線方向からズレた方向からパネルを観察する場合、液晶セルの上下に配置する偏光板の光軸方向からズレた方向では偏光板の特性上避けられない光漏れが発生する結果、視野角が狭くなるという問題があった。すなわち、一般的に用いられているトリアセチルセルロース（ＴＡＣ）フィルムを保護フィルムとして用いた偏光板では、ＴＡＣフィルムの有する複屈折性により視野角が狭くなるという問題があった。
【０００４】
この問題を解決するために、斜め方向から観察した場合に生じる偏光板の幾何学的な軸ズレを、位相差フィルムにより補償した偏光板が用いられている（たとえば、特許文献１、特許文献２参照）。前記特許文献１、２に記載の偏光板では、偏光子の保護フィルムとして位相差フィルムが使用されている。しかしながら、特許文献１、特許文献２に記載の位相差フィルムではＩＰＳモードの液晶表示装置の充分な広視野角を実現し難い。
【特許文献１】特開平４−３０５６０２号公報
【特許文献２】特開平４−３７１９０３号公報
【発明の開示】
【発明が解決しようとする課題】
【０００５】
本発明は、偏光板と位相差フィルムを積層した光学フィルムを用いた、広範囲にわたり高いコントラスト比を有する、見やすい表示を実現可能なＩＰＳモード液晶表示装置を提供することを目的とする。
【課題を解決するための手段】
【０００６】
本発明者らは前記課題を解決すべく鋭意検討を重ねた結果、以下に示すＩＰＳモード液晶表示装置を見出し、本発明を完成するに至った。
【０００７】
すなわち本発明は、液晶層を挟持する一対の基板からなるＩＰＳモードにて駆動される液晶セルおよびバックライトを有するＩＰＳモード液晶表示装置であって、
前記液晶セルの片側のセル基板には、偏光板の吸収軸と位相差フィルムの遅相軸が直交または平行になるように積層した光学フィルム（Ｆ１）であって、
前記偏光板は、偏光子の両面に透明保護フィルムを積層してなり、当該透明保護フィルム面内の面内屈折率が最大となる方向をＸ軸、Ｘ軸に垂直な方向をＹ軸、フィルムの厚さ方向をＺ軸とし、それぞれの軸方向の５５０ｎｍにおける屈折率をｎｘ、ｎｙ、ｎｚ、フィルムの厚さｄ（ｎｍ）とした場合に、
面内位相差Ｒｅ＝（ｎｘ−ｎｙ）×ｄが、１０ｎｍ以下であり、
かつ厚み方向位相差Ｒｔｈ＝｛（ｎｘ＋ｎｙ）／２−ｎｚ｝×ｄが、３０〜１００ｎｍであり、
前記位相差フィルムは、当該フィルム面内の面内屈折率が最大となる方向をＸ軸、Ｘ軸に垂直な方向をＹ軸、フィルムの厚さ方向をＺ軸とし、それぞれの軸方向の５５０ｎｍにおける屈折率をｎｘ1、ｎｙ1、ｎｚ1、フィルムの厚さｄ1（ｎｍ）とした場合に、
Ｎｚ＝（ｎｘ1−ｎｚ1）／（ｎｘ1−ｎｙ1）で表されるＮｚ値が、０．３〜０．７を満足し、
かつ面内位相差Ｒｅ1＝（ｎｘ1−ｎｙ1）×ｄ1が、２００〜３００ｎｍである光学フィルム（Ｆ１）が配置されており、
前記液晶セルのもう一方の片側のセル基板には、偏光板の吸収軸と位相差フィルムの遅相軸が直交になるように積層した光学フィルム（Ｆ３）であって、
前記偏光板は、偏光子の両面に透明保護フィルムを積層してなり、当該透明保護フィルム面内の面内屈折率が最大となる方向をＸ軸、Ｘ軸に垂直な方向をＹ軸、フィルムの厚さ方向をＺ軸とし、それぞれの軸方向の５５０ｎｍにおける屈折率をｎｘ、ｎｙ、ｎｚ、フィルムの厚さｄ（ｎｍ）とした場合に、
面内位相差Ｒｅ＝（ｎｘ−ｎｙ）×ｄが、１０ｎｍ以下であり、
かつ厚み方向位相差Ｒｔｈ＝｛（ｎｘ＋ｎｙ）／２−ｎｚ｝×ｄが、３０〜１００ｎｍであり、
前記位相差フィルムは、当該フィルム面内の面内屈折率が最大となる方向をＸ軸、Ｘ軸に垂直な方向をＹ軸、フィルムの厚さ方向をＺ軸とし、それぞれの軸方向の５５０ｎｍにおける屈折率をｎｘ3、ｎｙ3、ｎｚ3、フィルムの厚さｄ3（ｎｍ）とした場合に、
Ｎｚ＝（ｎｘ3−ｎｚ3）／（ｎｘ3−ｎｙ3）で表されるＮｚ値が、−０．１５〜０．１５を満足し、
かつ面内位相差Ｒｅ3＝（ｎｘ3−ｎｙ3）×ｄ3が、２３０〜４００ｎｍである光学フィルム（Ｆ３）が配置されており、
かつ、光学フィルム（Ｆ１）と光学フィルム（Ｆ３）はそれぞれの偏光板の吸収軸が直交状態になり、いずれも位相差フィルム側が液晶セル側になるように配置されており、
かつ、前記光学フィルム（Ｆ１）が視認側のセル基板に配置されており、前記光学フィルム（Ｆ３）がバックライトからの光入射側のセル基板に配置されており、
電圧無印加時において液晶セル内の液晶物質の異常光屈折率方向と入射側の前記光学フィルム（Ｆ３）の偏光板の吸収軸が平行状態にあり、前記液晶セルの前記位相差値と、光学フィルム（Ｆ３）の位相差フィルムの位相差値の差の絶対値が、０〜４０ｎｍであることを特徴とするＩＰＳモード液晶表示装置、に関する。
【０００８】
上記光学フィルム（Ｆ１）および光学フィルム（Ｆ３）は、上記所定位相差値の保護フィルムを有する偏光板をクロスニコル状態で配置した場合に、光軸からズレた方向での光漏れを、上記特定の位相差フィルムにより解消することができ、ＩＰＳモードの液晶表示装置に好適に用いられる。特に液晶層の斜め方向におけるコントラストの低下を補償する機能を有する。前記光学フィルム（Ｆ１）は、偏光板の吸収軸と位相差フィルムの遅相軸が直交または平行となるように積層されている。また光学フィルム（Ｆ３）は、偏光板の吸収軸と位相差フィルムの遅相軸が直交になるように積層されている。
【０００９】
上記本発明のＩＰＳモードの液晶表示装置では、液晶セルの片側に光学フィルム（Ｆ１）を、もう一方の片側に光学フィルム（Ｆ３）を配置することにより、ＩＰＳモードの液晶表示装置おいて従来生じていた黒表示時の光漏れを低減することができる。かかるＩＰＳモードの液晶表示装置は、全方位にわたり高いコントラスト比を有し、広視野角で見やすい表示を実現可能である。
【００１０】
上記光学フィルム（Ｆ１）および光学フィルム（Ｆ３）に用いる偏光板の透明保護フィルムは、面内位相差Ｒｅが１０ｎｍ以下、より好ましくは６ｎｍ以下であり、かつ厚み方向位相差Ｒｔｈは３０〜１００ｎｍ、好ましくは３０〜６０ｎｍである。上記光学フィルム（Ｆ１）および光学フィルム（Ｆ３）は、偏光子の透明保護フィルムとして、かかる位相差を有するものに対して、位相差フィルムにより高い補償効果を得るものである。透明保護フィルムの厚さｄは特に制限されないが、一般には５００μｍ以下であり、１〜３００μｍが好ましい。特に５〜２００μｍとするのが好ましい。
【００１１】
光学フィルム（Ｆ１）に用いる位相差フィルムは前記Ｎｚ値が０．３〜０．７であり、かつ面内位相差Ｒｅ1が２００〜３００ｎｍである。Ｎｚ値は補償機能を高める点から０．４以上、さらには０．４５以上であるのが好ましい。一方、Ｎｚ値は０．６以下、さらには０．５５以下であるのが好ましい。面内位相差Ｒｅ1は補償機能を高める点から２４０ｎｍ以上、２７０ｎｍ以下であるのが好ましい。
【００１２】
光学フィルム（Ｆ３）に用いる位相差フィルムは前記Ｎｚ値が−０．１５〜０．１５であり、かつ面内位相差Ｒｅ3が２３０〜４００ｎｍである。Ｎｚ値は補償機能を高める点から−０．１以上、さらには−０．０５以上であるのが好ましい。一方、Ｎｚ値は０．１以下、さらには０．０５以下であるのが好ましい。面内位相差Ｒｅ3は補償機能を高める点から２７０ｎｍ以上であるのが好ましく、さらに３６０ｎｍ以下、３２０ｎｍ以下であるのが好ましい。
【００１３】
前記ＩＰＳモード液晶表示装置は、ＩＰＳモードにて駆動される液晶セルとして、５５０ｎｍにおける位相差値が電圧無印加時において２３０〜４００ｎｍであるＩＰＳモードの液晶セルに適用することが好ましい。
【００１４】
ＩＰＳモードの液晶セルを構成する材料は特に限定されるものではなく、通常、使用されるものを適宜使用できるが、液晶セルの５５０ｎｍにおける位相差値は電圧無印加時において２３０〜４００ｎｍのものへの適用が、位相差フィルムによる補償機能を好適に付与できる点から好適である。前記液晶セルの５５０ｎｍにおける位相差値は電圧無印加時において、より好ましくは２３０〜３６０ｎｍ、より好ましくは２７０〜３６０ｎｍ、さらに好ましくは２７０〜３１０ｎｍである。なお、液晶セルの前記位相差値と、光学フィルム（Ｆ３）の位相差フィルムの位相差値の和は、本発明において、位相差を測定している、可視光の中心的な波長と同じ波長（５５０ｎｍ）または０ｎｍに近づけることが、斜め方向におけるコントラストの低下を補償する点で好ましい。
【００１５】
また前記ＩＰＳモード液晶表示装置は、ＩＰＳモードにて駆動される液晶セルの５５０ｎｍにおける電圧無印加時の位相差値と、光学フィルム（Ｆ３）に用いる位相差フィルムの位相差値が略等しいことが好ましい。両者の位相差値を略等しくすることによりコントラスト比を向上させることができる。なお、位相差値を略等しいとは、位相差値の差が２０ｎｍ程度以下、さらには１０ｎｍ以下であるのが好ましい。
【００１６】
前記ＩＰＳモード液晶表示装置は、前記光学フィルム（Ｆ１）が視認側のセル基板に配置されており、前記光学フィルム（Ｆ３）がバックライトからの光入射側のセル基板に配置されており、
電圧無印加時において液晶セル内の液晶物質の異常光屈折率方向と入射側の前記光学フィルム（Ｆ３）の偏光板の吸収軸が平行状態にあることが好ましい。上記の配置としたとき、液晶セル内の液晶物質の異常光屈折率方向と、光学フィルム（Ｆ３）の位相差フィルムの遅相軸とは直交状態にあるため、液晶セルの前記位相差値と、光学フィルム（Ｆ３）の位相差フィルムの位相差値の和は、各位相差値の差として表される。かかる各位相差値の差は、０ｎｍに近づけるほど、斜め方向におけるコントラストの低下を補償できる点で好ましい。かかる各位相差値の差の絶対値は、０〜４０ｎｍであるのが好ましく、さらには０〜３０ｎｍであるのが好ましく、さらには０〜２０ｎｍであるのが好ましく、さらには０〜１０ｎｍであるのが好ましい。
【発明を実施するための最良の形態】
【００１７】
以下本発明のＩＰＳモード液晶表示装置を、光学フィルム（Ｆ１）、光学フィルム（Ｆ３）とともに図面を参照しながら説明する。
【００１８】
図１乃至図２に示す通り、本発明の光学フィルム（Ｆ１）、光学フィルム（Ｆ３）は、偏光板１に位相差フィルム２１、２２、２３がそれぞれ積層されている。偏光板１としては、偏光子１ａの両面に透明保護フィルム１ｂが積層されたものが用いられる。片面に、位相差フィルム２が積層されている場合の例である。光学フィルム（Ｆ１）、光学フィルム（Ｆ３）には前記Ｎｚ値、面内位相差を有する位相差フィルム２１、２３がそれぞれ用いられる。
【００１９】
図１に示すように、光学フィルム（Ｆ１）は偏光板１の吸収軸と位相差フィルム２１の遅相軸は直交または平行になるように積層されている。光学フィルム（Ｆ１）における偏光板１の吸収軸と位相差フィルム２１の遅相軸は直交または平行のいずれでも同様の機能を示すが、前記軸が平行であれば、延伸後のロール状の位相差フィルムとロール状の偏光板を連続的に貼り合わせることができ、製造工程を簡略化できる。図１（Ａ）が直交、図１（Ｂ）が平行になるように積層した場合である。また図２に示すように、光学フィルム（Ｆ３）は偏光板１の吸収軸と位相差フィルム２の遅相軸は直交になるように積層されている。
【００２０】
偏光子は、特に制限されず、各種のものを使用できる。偏光子としては、たとえば、ポリビニルアルコール系フィルム、部分ホルマール化ポリビニルアルコール系フィルム、エチレン・酢酸ビニル共重合体系部分ケン化フィルム等の親水性高分子フィルムに、ヨウ素や二色性染料等の二色性物質を吸着させて一軸延伸したもの、ポリビニルアルコールの脱水処理物やポリ塩化ビニルの脱塩酸処理物等ポリエン系配向フィルム等があげられる。これらのなかでもポリビニルアルコール系フィルムとヨウ素などの二色性物質からなる偏光子が好適である。これら偏光子の厚さは特に制限されないが、一般的に、５〜８０μｍ程度である。
【００２１】
ポリビニルアルコール系フィルムをヨウ素で染色し一軸延伸した偏光子は、たとえば、ポリビニルアルコールをヨウ素の水溶液に浸漬することによって染色し、元長の３〜７倍に延伸することで作製することができる。必要に応じてホウ酸や硫酸亜鉛、塩化亜鉛等を含んでいてもよいヨウ化カリウムなどの水溶液に浸漬することもできる。さらに必要に応じて染色の前にポリビニルアルコール系フィルムを水に浸漬して水洗してもよい。ポリビニルアルコール系フィルムを水洗することでポリビニルアルコール系フィルム表面の汚れやブロッキング防止剤を洗浄することができるほかに、ポリビニルアルコール系フィルムを膨潤させることで染色のムラなどの不均一を防止する効果もある。延伸はヨウ素で染色した後に行っても良いし、染色しながら延伸してもよいし、また延伸してからヨウ素で染色してもよい。ホウ酸やヨウ化カリウムなどの水溶液中や水浴中でも延伸することができる。
【００２２】
前記偏光子に設けられる透明保護フィルムとしては、前記面内位相差Ｒｅが１０ｎｍ以下であり、かつ厚み方向位相差Ｒｔｈが３０〜１００ｎｍのものを特に制限なく使用できる。かかる透明保護フィルムを形成する材料としては、例えば、ポリエチレンテレフタレートやポリエチレンナフタレート等のポリエステル系ポリマー、ジアセチルセルロースやトリアセチルセルロース等のセルロース系ポリマー、ポリメチルメタクリレート等のアクリル系ポリマー、ポリスチレンやアクリロニトリル・スチレン共重合体（ＡＳ樹脂）等のスチレン系ポリマー、ポリカーボネート系ポリマーなどがあげられる。また、ポリエチレン、ポリプロピレン、シクロ系ないしはノルボルネン構造を有するポリオレフィン、エチレン・プロピレン共重合体の如きポリオレフィン系ポリマー、塩化ビニル系ポリマー、ナイロンや芳香族ポリアミド等のアミド系ポリマー、イミド系ポリマー、スルホン系ポリマー、ポリエーテルスルホン系ポリマー、ポリエーテルエーテルケトン系ポリマー、ポリフェニレンスルフィド系ポリマー、ビニルアルコール系ポリマー、塩化ビニリデン系ポリマー、ビニルブチラール系ポリマー、アリレート系ポリマー、ポリオキシメチレン系ポリマー、エポキシ系ポリマー、または前記ポリマーのブレンド物なども前記透明保護フィルムを形成するポリマーの例としてあげられる。透明保護フィルムは、アクリル系、ウレタン系、アクリルウレタン系、エポキシ系、シリコーン系等の熱硬化型、紫外線硬化型の樹脂の硬化層として形成することもできる。前記透明保護フィルムの材料としては、一般的に偏光子の透明保護フィルムとして用いられているトリアセチルセルロースが好適である。これら透明保護フィルムは、前記面内位相差Ｒｅ、厚み方向位相差Ｒｔｈとなるように適宜に延伸処理することができる。
【００２３】
前記透明保護フィルムの偏光子を接着させない面には、ハードコート層や反射防止処理、スティッキング防止や、拡散ないしアンチグレアを目的とした処理を施したものであってもよい。
【００２４】
ハードコート処理は偏光板表面の傷付き防止などを目的に施されるものであり、例えばアクリル系、シリコーン系などの適宜な紫外線硬化型樹脂による硬度や滑り特性等に優れる硬化皮膜を透明保護フィルムの表面に付加する方式などにて形成することができる。反射防止処理は偏光板表面での外光の反射防止を目的に施されるものであり、従来に準じた反射防止膜などの形成により達成することができる。また、スティッキング防止処理は隣接層との密着防止を目的に施される。
【００２５】
またアンチグレア処理は偏光板の表面で外光が反射して偏光板透過光の視認を阻害することの防止等を目的に施されるものであり、例えばサンドブラスト方式やエンボス加工方式による粗面化方式や透明微粒子の配合方式などの適宜な方式にて透明保護フィルムの表面に微細凹凸構造を付与することにより形成することができる。前記表面微細凹凸構造の形成に含有させる微粒子としては、例えば平均粒径が０．５〜５０μｍのシリカ、アルミナ、チタニア、ジルコニア、酸化錫、酸化インジウム、酸化カドミウム、酸化アンチモン等からなる導電性のこともある無機系微粒子、架橋又は未架橋のポリマー等からなる有機系微粒子などの透明微粒子が用いられる。表面微細凹凸構造を形成する場合、微粒子の使用量は、表面微細凹凸構造を形成する透明樹脂１００重量部に対して一般的に２〜５０重量部程度であり、５〜２５重量部が好ましい。アンチグレア層は偏光板透過光を拡散して視角などを拡大するための拡散層（視角拡大機能など）を兼ねるものであってもよい。
【００２６】
なお、前記反射防止層、スティッキング防止層、拡散層やアンチグレア層等は、透明保護フィルムそのものに設けることができるほか、別途光学層として透明保護フィルムとは別体のものとして設けることもできる。
【００２７】
前記偏光子と透明保護フィルムとの接着処理には、イソシアネート系接着剤、ポリビニルアルコール系接着剤、ゼラチン系接着剤、ビニル系ラテックス系、水系ポリエステル等が用いられる。
【００２８】
位相差フィルムとしては、光学フィルム（Ｆ１）、光学フィルム（Ｆ３）にそれぞれ前記Ｎｚ値、面内位相差を有するものが用いられる。光学フィルム（Ｆ１）には前記Ｎｚ値が０．３〜０．７であり、かつ面内位相差Ｒｅ1が２００〜３００ｎｍである位相差フィルムを用いる。当該位相差フィルムは、コントラストの点から、位相差の波長依存性において、｛Δｎｄ（４５０ｎｍ）／Δｎｄ（５５０ｎｍ）｝＜１、を満たすもの、すなわち逆分散性を示すものが好ましい。Δｎｄ（４５０ｎｍ）、Δｎｄ（５５０ｎｍ）は、各波長における面内位相差である。位相差フィルムとしては、たとえば、高分子ポリマーフィルムの複屈折性フィルムがあげられる。一方、光学フィルム（Ｆ３）には前記Ｎｚ値が−０．１５〜０．１５であり、かつ面内位相差Ｒｅ3が２３０〜４００ｎｍである位相差フィルムを用いる。当該位相差フィルムは、正分散性（液晶の分散性と同じ）ものを用いるのが好ましい。
【００２９】
高分子ポリマーとしては、たとえば、ポリスチレン、ポリカーボネート、ポリプロピレン等のポリオレフィン、ポリエチレンテレフタレート、ポリエチレンナフタレート等のポリエステル、ポリノルボルネン等の脂環式ポリオレフィン、ポリビニルアルコール、ポリビニルブチラール、ポリメチルビニルエーテル、ポリヒドロキシエチルアクリレート、ヒドロキシエチルセルロース、ヒドロキシプロピルセルロース、メチルセルロース、ポリアリレート、ポリスルホン、ポリエーテルスルホン、ポリフェニレンスルファイド、ポリフェニレンオキサイド、ポリアリルスルホン、ポリビニルアルコール、ポリアミド、ポリイミド、ポリ塩化ビニル、セルロース系重合体、またはこれらの二元系、三元系各種共重合体、グラフト共重合体、ブレンド物などがあげられる。位相差フィルムは、高分子ポリマーフィルムを面方向に二軸に延伸する方法、面方向に一軸または二軸に延伸し、厚さ方向にも延伸する方法等により厚さ方向の屈折率を制御することにより得られる。また高分子ポリマーフィルムに熱収縮フィルムを接着して加熱によるその収縮力の作用下にポリマーフィルムを延伸処理又は／及び収縮処理して傾斜配向させる方法等により得られる。
【００３０】
前記位相差フィルムと偏光板の積層法は特に制限されず、粘着剤層等により行うことができる。粘着層を形成する粘着剤は特に制限されないが、例えばアクリル系重合体、シリコーン系ポリマー、ポリエステル、ポリウレタン、ポリアミド、ポリエーテル、フッ素系やゴム系などのポリマーをベースポリマーとするものを適宜に選択して用いることができる。特に、アクリル系粘着剤の如く光学的透明性に優れ、適度な濡れ性と凝集性と接着性の粘着特性を示して、耐候性や耐熱性などに優れるものが好ましく用いうる。
【００３１】
光学フィルムや粘着剤層などの各層には、例えばサリチル酸エステル系化合物やベンゾフェノール系化合物、ベンゾトリアゾール系化合物やシアノアクリレート系化合物、ニッケル錯塩系化合物等の紫外線吸収剤で処理する方式などの方式により紫外線吸収能をもたせたものなどであってもよい。
【００３２】
本発明のＩＰＳモード液晶表示装置は、図３に示すように液晶層を挟持する一対の基板からなるＩＰＳモードにて駆動される液晶セル３およびバックライトを有する。バックライトは入射側に設けられるが、図面では省略している。液晶セルは、液晶層を挟持する一対の基板と、前記一対の基板の一方に形成された電極群と、前記基板間に挟持された誘電異方性を有する液晶組成物質層と、前記一対の基板の対向に形成されて前記液晶組成物質の分子配列を所定の方向に配列させるための配向制御層および前記電極群に駆動電圧を印加するための駆動手段とを具備する。前記電極群は前記配向制御層および前記液晶組成物質層の界面に対して、主として平行な電界を印加するごとく配置された配列構造を有している。当該液晶セルは、前述の通り、５５０ｎｍにおける位相差値が電圧無印加時において２３０〜４００ｎｍであることが好ましい。
【００３３】
本発明のＩＰＳモード液晶表示装置は、前記液晶セルの片側のセル基板には光学フィルム（Ｆ１）が配置され、液晶セルのもう一方の片側のセル基板には光学フィルム（Ｆ３）が配置される。
【００３４】
図３のように、光学フィルム（Ｆ１）を視認側のセル基板に配置し、光学フィルム（Ｆ３）を入射側のセル基板に配置する。図３では、光学フィルム（Ｆ１）として、偏光板１の吸収軸と位相差フィルム２１の遅相軸が平行になるように積層したものを用いている。このように光学フィルム（Ｆ１）、光学フィルム（Ｆ３）を配置する場合には、図３のように、電圧無印加時において液晶セル３内の液晶物質の異常光屈折率方向と入射側の前記光学フィルム（Ｆ３）の偏光板１の吸収軸が平行状態になるように配置するのが好ましい。
【００３５】
また前記図３に示されているように、本発明のＩＰＳモード液晶表示装置は、光学フィルム（Ｆ１）の偏光板１の吸収軸と光学フィルム（Ｆ３）の偏光板１の吸収軸は直交状態になり、光学フィルム（Ｆ１）および光学フィルム（Ｆ３）はいずれも位相差フィルム２１、２３側が液晶セル３側になるように配置されている。
【００３６】
前記光学フィルム（Ｆ１）、光学フィルム（Ｆ３）は、実用に際して他の光学層を積層して用いることができる。その光学層については特に限定はないが、例えば位相差板（１／２や１／４等の波長板を含む）などの液晶表示装置等の形成に用いられることのある光学層を１層または２層以上用いることができる。特に、偏光板に更に輝度向上フィルムが積層されてなる偏光板が好ましい。
【００３７】
偏光板に更に位相差板が積層されてなる楕円偏光板または円偏光板について説明する。直線偏光を楕円偏光または円偏光に変えたり、楕円偏光または円偏光を直線偏光に変えたり、あるいは直線偏光の偏光方向を変える場合に、位相差板などが用いられる。特に、直線偏光を円偏光に変えたり、円偏光を直線偏光に変える位相差板としては、いわゆる１／４波長板（λ／４板とも言う）が用いられる。１／２波長板（λ／２板とも言う）は、通常、直線偏光の偏光方向を変える場合に用いられる。
【００３８】
楕円偏光板は液晶表示装置の液晶層の複屈折により生じた着色（青又は黄等）を補償（防止）して、前記着色のない白黒表示する場合などに有効に用いられる。更に、三次元の屈折率を制御したものは、液晶表示装置の画面を斜め方向から見た際に生じる着色も補償（防止）することができて好ましい。円偏光板は、例えば画像がカラー表示になる反射型液晶表示装置の画像の色調を整える場合などに有効に用いられ、また、反射防止の機能も有する。
【００３９】
偏光板と輝度向上フィルムを貼り合わせた偏光板は、通常液晶セルの裏側サイドに設けられて使用される。輝度向上フィルムは、液晶表示装置などのバックライトや裏側からの反射などにより自然光が入射すると所定偏光軸の直線偏光または所定方向の円偏光を反射し、他の光は透過する特性を示すもので、輝度向上フィルムを偏光板と積層した偏光板は、バックライト等の光源からの光を入射させて所定偏光状態の透過光を得ると共に、前記所定偏光状態以外の光は透過せずに反射される。この輝度向上フィルム面で反射した光を更にその後ろ側に設けられた反射層等を介し反転させて輝度向上フィルムに再入射させ、その一部又は全部を所定偏光状態の光として透過させて輝度向上フィルムを透過する光の増量を図ると共に、偏光子に吸収させにくい偏光を供給して液晶表示画像表示等に利用しうる光量の増大を図ることにより輝度を向上させうるものである。すなわち、輝度向上フィルムを使用せずに、バックライトなどで液晶セルの裏側から偏光子を通して光を入射した場合には、偏光子の偏光軸に一致していない偏光方向を有する光は、ほとんど偏光子に吸収されてしまい、偏光子を透過してこない。すなわち、用いた偏光子の特性によっても異なるが、およそ５０％の光が偏光子に吸収されてしまい、その分、液晶画像表示等に利用しうる光量が減少し、画像が暗くなる。輝度向上フィルムは、偏光子に吸収されるような偏光方向を有する光を偏光子に入射させずに輝度向上フィルムで一旦反射させ、更にその後ろ側に設けられた反射層等を介して反転させて輝度向上フィルムに再入射させることを繰り返し、この両者間で反射、反転している光の偏光方向が偏光子を通過し得るような偏光方向になった偏光のみを、輝度向上フィルムは透過させて偏光子に供給するので、バックライトなどの光を効率的に液晶表示装置の画像の表示に使用でき、画面を明るくすることができる。
【００４０】
輝度向上フィルムと上記反射層等の間に拡散板を設けることもできる。輝度向上フィルムによって反射した偏光状態の光は上記反射層等に向かうが、設置された拡散板は通過する光を均一に拡散すると同時に偏光状態を解消し、非偏光状態となる。すなわち、拡散板は偏光を元の自然光状態にもどす。この非偏光状態、すなわち自然光状態の光が反射層等に向かい、反射層等を介して反射し、再び拡散板を通過して輝度向上フィルムに再入射することを繰り返す。このように輝度向上フィルムと上記反射層等の間に、偏光を元の自然光状態にもどす拡散板を設けることにより表示画面の明るさを維持しつつ、同時に表示画面の明るさのむらを少なくし、均一で明るい画面を提供することができる。かかる拡散板を設けることにより、初回の入射光は反射の繰り返し回数が程よく増加し、拡散板の拡散機能と相俟って均一の明るい表示画面を提供することができたものと考えられる。
【００４１】
前記の輝度向上フィルムとしては、例えば誘電体の多層薄膜や屈折率異方性が相違する薄膜フィルムの多層積層体の如き、所定偏光軸の直線偏光を透過して他の光は反射する特性を示すもの（３Ｍ社製、Ｄ−ＢＥＦ等）、コレステリック液晶ポリマーの配向フィルムやその配向液晶層をフィルム基材上に支持したものの（日東電工社製、ＰＣＦ３５０やＭｅｒｃｋ社製、Ｔｒａｎｓｍａｘ等）如き、左回り又は右回りのいずれか一方の円偏光を反射して他の光は透過する特性を示すものなどの適宜なものを用いうる。
【００４２】
従って、前記した所定偏光軸の直線偏光を透過させるタイプの輝度向上フィルムでは、その透過光をそのまま偏光板に偏光軸を揃えて入射させることにより、偏光板による吸収ロスを抑制しつつ効率よく透過させることができる。一方、コレステリック液晶層の如く円偏光を透過するタイプの輝度向上フィルムでは、そのまま偏光子に入射させることもできるが、吸収ロスを抑制する点よりその円偏光を位相差板を介し直線偏光化して偏光板に入射させることが好ましい。なお、その位相差板として１／４波長板を用いることにより、円偏光を直線偏光に変換することができる。
【００４３】
可視光域等の広い波長範囲で１／４波長板として機能する位相差板は、例えば波長５５０ｎｍの淡色光に対して１／４波長板として機能する位相差層と他の位相差特性を示す位相差層、例えば１／２波長板として機能する位相差層とを重畳する方式などにより得ることができる。従って、偏光板と輝度向上フィルムの間に配置する位相差板は、１層又は２層以上の位相差層からなるものであってよい。
【００４４】
なお、コレステリック液晶層についても、反射波長が相違するものの組み合わせにして２層又は３層以上重畳した配置構造とすることにより、可視光領域等の広い波長範囲で円偏光を反射するものを得ることができ、それに基づいて広い波長範囲の透過円偏光を得ることができる。
【００４５】
また偏光板は、上記の偏光分離型偏光板の如く、偏光板と２層又は３層以上の光学層とを積層したものからなっていてもよい。従って、上記の反射型偏光板や半透過型偏光板と位相差板を組み合わせた反射型楕円偏光板や半透過型楕円偏光板などであってもよい。
【００４６】
前記光学層を積層した光学フィルム、偏光板は、液晶表示装置等の製造過程で順次別個に積層する方式にても形成することができるが、予め積層して光学フィルムとしたものは、品質の安定性や組立作業等に優れていて液晶表示装置などの製造工程を向上させうる利点がある。積層には粘着層等の適宜な接着手段を用いうる。前記の偏光板と他の光学層の接着に際し、それらの光学軸は目的とする位相差特性などに応じて適宜な配置角度とすることができる。
【００４７】
液晶表示装置の形成は、従来に準じて行いうる。液晶表示装置は、一般に必要に応じての照明システム等の構成部品を適宜に組立てて駆動回路を組込むことなどにより形成されるが、本発明において前記光学フィルムを用いる点を除いて特に限定はなく、従来に準じうる。
【００４８】
液晶表示装置は、照明システムあるいは反射板を用いたものなどの適宜な液晶表示装置を形成することができる。さらには液晶表示装置の形成に際しては、例えば拡散板、アンチグレア層、反射防止膜、保護板、プリズムアレイ、レンズアレイシート、光拡散板、バックライトなどの適宜な部品を適宜な位置に１層又は２層以上配置することができる。
【実施例】
【００４９】
以下に、実施例によって本発明を具体的に説明するが、本発明はこれら実施例によって限定されるものではない。
【００５０】
透明保護フィルムの５５０ｎｍにおける屈折率ｎｘ、ｎｙ、ｎｚを自動複屈折測定装置（王子計測機器株式会社製，自動複屈折計ＫＯＢＲＡ２１ＡＤＨ）により計測し、面内位相差Ｒｅ、厚み方向位相差Ｒｔｈを算出した。また、位相差フィルムについて同様に計測し、Ｎｚ、面内位相差Ｒｅ（Ｒｅ1，Ｒｅ2，Ｒｅ3）を算出した。また液晶セルの５５０ｎｍにおける電圧無印加時の位相差値は、セナルモン法により測定した。
【００５１】
実施例１
（偏光板の作製）
ポリビニルアルコール系フィルムにヨウ素を吸着させて延伸したフィルム（偏光子：２０μｍ）の両面に、トリアセチルセルロース（ＴＡＣ）フィルム（透明保護フィルム：８０μｍ）を、接着剤を用いて積層した。ＴＡＣフィルムは、面内位相差Ｒｅ：４ｎｍ、厚み方向位相差Ｒｔｈ：５０ｎｍであった。
【００５２】
（光学フィルム（Ｆ１））
ポリカーボネートフィルムを延伸することにより、厚さ５０μｍ、面内位相差Ｒｅ1が２６０ｎｍ、Ｎｚ＝０．５の位相差フィルムを得た。この位相差フィルムと前記偏光板を、位相差フィルムの遅相軸と偏光板の吸収軸が平行状態となるように粘着剤を用いて積層し、光学フィルム（Ｆ１）を作製した。
【００５３】
（光学フィルム（Ｆ３））
ポリカーボネートフィルムを延伸することにより、厚さ６０μｍ、面内位相差Ｒｅ3が３１０ｎｍ、Ｎｚ＝０の位相差フィルムを得た。面内位相差Ｒｅ3は、ＩＰＳモードの液晶セルの位相差値と等しい。この位相差フィルムと実施例１で用いたのと同様の前記偏光板を、位相差フィルムの遅相軸と偏光板の吸収軸が直交状態となるように粘着剤を用いて積層し、光学フィルム（Ｆ３）を作製した。
【００５４】
（液晶表示装置）
５５０ｎｍにおける位相差値が３１０ｎｍであるＩＰＳモードの液晶セルを用い、図３に示すように、光学フィルム（Ｆ１）を視認側のセル基板に、光学フィルム（Ｆ３）を入射側のセル基板にそれぞれ粘着剤で積層した。光学フィルム（Ｆ１）、（Ｆ３）は位相差フィルム側が、液晶セル側になるようにした。このとき、光学フィルム（Ｆ３）の偏光板の吸収軸と液晶セル内の液晶の有する異常光屈折率方向が平行状態になるように配置した。また光学フィルム（Ｆ１）と光学フィルム（Ｆ３）はそれぞれの偏光板の吸収軸が直交状態になるように配置した。
【００５５】
（評価）
この液晶表示装置をバックライトの上に設置し、直交する偏光板の光軸に対する方位方向４５度において法線方向からの傾き７０度方向のコントラスト比を測定したところ、コントラスト比＝７０であった。
【００５６】
比較例１
（液晶表示装置）
実施例１で作製した偏光板を、実施例１と同様のＩＰＳモードの液晶セルの両面に粘着剤で積層して液晶表示装置を作製した。また液晶セルの両面に配置した偏光板は吸収軸が互いに直交するように配置した。
【００５７】
（評価）
この液晶表示装置をバックライトの上に設置し、直交する偏光板の光軸に対する方位方向４５度において法線方向からの傾き７０度方向のコントラスト比を測定したところ、コントラスト比＝１０であった。
【図面の簡単な説明】
【００５８】
【図１】本発明のＩＰＳモード液晶表示装置に用いる光学フィルム（Ｆ１）の断面図および概念図の一例である。
【図２】本発明のＩＰＳモード液晶表示装置に用いる光学フィルム（Ｆ３）の断面図および概念図の一例である。
【図３】本発明のＩＰＳモード液晶表示装置（１）の概念図の一例である。
【符号の説明】
【００５９】
１    偏光板
１ａ  偏光子
１ｂ  透明保護フィルム
２１  位相差フィルム
２３  位相差フィルム
Ｆ１  光学フィルム
Ｆ３  光学フィルム
３    ＩＰＳモード液晶セル
【図１】
0004693062.tif 000002
【図２】
0004693062.tif 000003
【図３】
0004693062.tif 000004